(57)【特許請求の範囲】
【請求項１】
歯科補綴物用のセラミックス製の切削ブロックと、前記切削ブロックから切削される歯科補綴物とインプラントフィクスチャーとを連結する歯科用アバットメントと、を含む歯科インプラント用構造体であって、
前記歯科用アバットメントは、
前記インプラントフィクスチャーの口腔内側端面に当接される顎骨側当接面から口腔内側に先太り状の截頭円錐状に形成された歯肉当接部と、
前記顎骨側当接面から顎骨側に向けて突設されており前記インプラントフィクスチャーの口腔内側の端部に回転しないように嵌合される嵌合部と、
前記歯肉当接部の口腔内側面より前記嵌合部と反対側に向けて突設される埋入部と、
前記歯肉当接部、前記嵌合部及び前記埋入部を貫通するように形成され、前記インプラントフィクスチャー内に螺設されているめねじに螺入されるボルトの頭が当接する段部を備える貫通穴と、
前記埋入部の外周面に前記歯肉当接部側の端部から形成され、長手方向が前記埋入部の中心軸と平行な３つ以上の突起条部と、を有し、
前記歯肉当接部、前記嵌合部、前記埋入部及び前記貫通穴の各中心軸が同芯となるように設けられており、
前記切削ブロックは、
予め形成されているか又は歯科補綴物へと切削加工する際に成形され、埋入される前記埋入部の前記突起条部に当接する凹状溝が内面に設けられている埋入孔を有し、
前記歯科用アバットメントの前記埋入部が前記切削ブロックの前記埋入孔に埋入された際に、前記突起条部の頂部が前記凹状溝の底部に当接し、前記埋入孔の内面と前記埋入部の外周面との間に略全周に亘って均一な歯科接着剤用の間隙が形成される
ことを特徴とする歯科インプラント用構造体。
【請求項２】
前記歯科接着剤用の間隙の幅が５〜１００μｍである請求項１に記載の歯科インプラント用構造体。
【請求項３】
前記突起条部は、長さが０．０５〜３ｍｍ、幅が０．０５〜０．２ｍｍ、前記埋入部の外周面からの最大高さが０．０１〜０．２ｍｍである請求項２に記載の歯科インプラント用構造体。
【請求項４】
前記突起条部は、前記埋入部の外周面上に３つ形成されている請求項１〜３までのいずれか１項に記載の歯科インプラント用構造体。
【請求項５】
前記各突起条部は、隣接する前記突起条部間のなす角度が１２０°となるように等間隔に形成されている請求項４に記載の歯科インプラント用構造体。
【請求項６】
前記各突起条部は、隣接する前記突起条部間のなす角度が１５０°，１５０°，６０°となるように形成されている請求項４に記載の歯科インプラント用構造体。
【発明の詳細な説明】
【技術分野】
【０００１】
本発明は、歯科インプラント治療において、顎骨内に埋入されたインプラントフィクスチャーの口腔内側に嵌合され且つ中心軸と同芯となるように設けられている貫通穴に貫通されるボルトでインプラントフィクスチャーに固定される歯科インプラント用構造体であって、三次元形状データに基づいてセラミックス製の切削ブロックから作製される歯科補綴物（コーピング等の歯科補綴物用の部材を含む。）を正確な位置に強固に接着固定できる歯科インプラント用構造体に関するものである。
【背景技術】
【０００２】
歯科技工士の負担を軽減しながらも安定した品質の歯科補綴物を短時間により多く作製する方法として、近年では三次元計測装置やコンピュータ等を用いてインレー，クラウン，ブリッジ，コーピング等の歯科補綴物の三次元形状データを作成し、この歯科補綴物の三次元形状データに基づいて自動切削加工機により切削ブロックを切削加工して歯科補綴物を作製する歯科用ＣＡＤ／ＣＡＭシステムが開発されている。
【０００３】
この歯科用ＣＡＤ／ＣＡＭシステムで、インプラントフィクスチャーの口腔内側に取り付けられる歯科補綴物を作製する場合には、インレーやクラウンの作製とは異なる技術が必要である。即ち、歯科インプラント用の歯科補綴物では、インレーやクラウン等の歯科補綴物とは異なり、その歯科補綴物を設計通りの位置に設置させ固定するために、顎骨内に埋入されたインプラントフィクスチャーの口腔内側に嵌合され且つ中心軸と同芯となるように設けられている貫通穴に貫通されるボルトでインプラントフィクスチャーに固定される歯科用アバットメントに正確な位置に強固に固定できるように歯科補綴物を作製する必要がある。
【０００４】
従来このように歯科用ＣＡＤ／ＣＡＭシステムで作製される歯科インプラント用の歯科補綴物は、金属製のものが使用されていたので、強度的に問題がないため顎骨内に埋入されたインプラントフィクスチャーの口腔内側に嵌合され且つ中心軸と同芯となるように設けられている貫通穴に貫通されるボルトでインプラントフィクスチャーに固定される歯科用アバットメントの正確な位置に外嵌できるように作製すればよかったが、近年歯科インプラント治療後の歯肉の減退時にも美観を損なうことがないように、歯科用ＣＡＤ／ＣＡＭシステムで作製される歯科インプラント用の歯科補綴物をジルコニア等のセラミックスで作製されるようになってきた。
【０００５】
しかしながら、切削ブロックの材質としてジルコニア等のセラミックスを使用すると、このセラミックス製の切削ブロックは焼き固めた焼結体であり、その焼結後に起こる収縮の程度が場所によって異なるため、焼結後に歯科用アバットメントの正確な位置に外嵌できるように形成することが難しいという問題や、歯科用アバットメントに外嵌させる部位の強度がセラミックス製では不足するおそれがあるという問題がある。
【０００６】
そこで本出願人は、歯科用ＣＡＤ／ＣＡＭシステムで歯科インプラント用の補綴物を作製する場合において、ジルコニア等のセラミックスの焼結後まで嵌合部の形状を所望の寸法精度で維持させることが難しいという問題や、嵌合部の強度がジルコニア等のセラミックスでは不足するおそれがあるなどの問題が生じない歯科補綴物の作製方法を開発した（特許文献１参照。）。これは、予めインプラントフィクスチャーに嵌合させる嵌合部が形成されている別部品を作製し、歯科補綴物用の切削ブロックに予め形成されているか又はこの切削ブロックを歯科補綴物へと切削加工する際に成形される埋入孔に、この別部品の埋入部を埋入させて固定し、インプラントフィクスチャーに嵌合させる嵌合部を突設させた状態にして使用するものである。
【０００７】
このような別部品を使用する場合、切削ブロックに対して別部品を強固に固定する必要があり、例えば歯科用アバットメント等の別部品と、切削ブロックに予め形成等される埋入孔とを高い精度で切削加工して、歯科用アバットメント等の別部品の埋入部を切削ブロックの埋入孔に挿入して強固に歯科接着剤等で接着固定する必要がある。これは、近年多く使用されているジルコニアのようなセラミックス製の切削ブロックの場合には、嵌合部の強度が不足するおそれがあるため、歯科用アバットメント等の別部品の埋入部に設けた突起部に切削ブロックの埋入孔に設けた凹部を嵌合させただけでは切削ブロックの破損を防ぐことができない場合が多いからである。
【０００８】
このような接着固定をする場合において重要となるのは、切削ブロックに形成された埋入孔と、歯科用アバットメント等の埋入部との間に、歯科接着剤用の間隙を確実に確保することと、歯科用アバットメント等の埋入部を切削ブロックの埋入孔内で位置固定することができることである。即ち、塗布された歯科接着剤が厚すぎると十分な接着強度が得られないので、歯科接着剤が均一の所望の薄さの層となるような間隙を確実に形成させる必要がある。しかしながら、例えば円筒形状の埋入孔と、円柱状の埋入部とを切削加工し、その埋入孔の内面や埋入部の外周面に歯科接着剤を塗布して、埋入孔に埋入部を挿入しただけでは、径の小さい埋入部が径の大きな埋入孔内で自由に動くため、埋入孔の内面と埋入部の外周面との間で、略全周に亘って均一の薄さの歯科接着剤の層を形成させることは非常に難しいので、歯科用アバットメント等の埋入部を切削ブロックの埋入孔内で位置固定することができることが必要なのである。
【先行技術文献】
【特許文献】
【０００９】
【特許文献１】特開２００７−２２２２２５号公報
【発明の概要】
【発明が解決しようとする課題】
【００１０】
本発明は前記の問題に鑑み、切削ブロック(歯科補綴物)と歯科用アバットメントとを含む歯科インプラント用構造体であって、歯科用アバットメントの埋入部が切削ブロックの埋入孔内で位置固定されると共に、その埋入部の外周面と切削ブロックの埋入孔の内面との間に、略全周に亘って均一な歯科接着剤用の間隙を形成させることができる歯科インプラント用構造体を提供することを課題とする。
【課題を解決するための手段】
【００１１】
本発明者らは前記課題を解決すべく鋭意検討した結果、歯科用アバットメントを、インプラントフィクスチャーの口腔内側端面に当接される顎骨側当接面から口腔内側に先太り状の截頭円錐状に形成された歯肉当接部と、歯肉当接部の顎骨側当接面から顎骨側に向けて突設されておりインプラントフィクスチャーの口腔内側の端部に回転しないように嵌入される嵌合部と、歯肉当接部の口腔内側面より嵌合部と反対側に向けて突設されていて、歯科補綴物用のセラミックス製の切削ブロックに予め形成されているか又はセラミックス製の切削ブロックを歯科補綴物へと切削加工する際に成形される埋入孔に埋入される埋入部とから形成させれば、埋入部が切削ブロック(歯科補綴物)の埋入孔に埋入される際に、先太りした歯肉当接部の口腔内側面がストッパーの役割をなし、埋入部が埋入孔に深く入りすぎることなく、正確な深さまで埋入させることができ、
またインプラントフィクスチャー内に螺設されているめねじに螺入されるボルトが挿入貫通される貫通穴を、嵌合部と歯肉当接部と埋入部とを貫通するように形成させると共に、貫通穴の内部にボルトの頭が当接する段部を形成させ、貫通穴の中心軸が歯肉当接部、嵌合部及び埋入部の中心軸と同芯となるように設ければ、貫通穴に挿入されたボルトにより歯科用アバットメントと一体となった歯科補綴物をインプラントフィクスチャーに強固且つ正確に取り付けることができると共にセラミックス製であるがために強度に問題がある切削ブロックにボルトの頭が当接することがなく、
更に埋入部の外周面上には、セラミックス製の切削ブロックの埋入孔内に埋入された際に埋入孔に形成されている凹状溝の底部に頂部がそれぞれ当接して埋入孔の内面と埋入部の外周面との間に略全周に亘って均一な歯科接着剤用の間隙を形成させるための、歯肉当接部側の端部からそれぞれ始まり、その長手方向が埋入部の中心軸と平行な同形の突起条部を３つ以上形成させれば、１つ又は２つの突起条部では、歯科用アバットメントの埋入部を切削ブロック(歯科補綴物)の埋入孔内に挿入しても接点が少ないために、埋入部が埋入孔内を自由に動き、均一な幅の歯科接着剤用の間隙を形成させることができないが、埋入部の外周面上に３つ以上の突起条部を設けることで、歯科用アバットメントの埋入部を切削ブロック(歯科補綴物)の埋入孔内で位置固定することができ、突起条部の無い埋入部の外周面と、その突起条部の無い埋入部の外周面と対向する切削ブロック(歯科補綴物)の埋入孔の内面との間に、均一な幅の歯科接着剤用の間隙を確実に形成させることができ、またその歯科用アバットメントの３つ以上の突起条部の頂部が、埋入孔に形成されている凹状溝の底部にそれぞれ当接することによって、各突起条部が凹状溝に沿って導かれて位置固定されるので、歯科用アバットメントを所定の位置に確実に挿入できることを究明して本発明を完成させたのである。
【００１２】
また、歯科接着剤用の間隙の幅が５〜１００μｍとなるようにすれば、歯科接着剤を十分に薄く形成させることができるので高い接着強度を得ることができ、突起条部が、その長さが０．０５〜３ｍｍ、幅が０．０５〜０．２ｍｍ、埋入部の外周面からの最大高さが０．０１〜０．２ｍｍとなるようにすれば、歯科用アバットメントの埋入部を切削ブロック(歯科補綴物)の埋入孔内に挿入した際に、埋入孔の内面と埋入部の外周面との間に略全周に亘って均一な歯科接着剤用の間隙を確実に形成させることができ、十分な接着強度を発揮させることができて好ましいことも究明したのである。
【００１３】
また歯科用アバットメントは比較的小さいものであるため、埋入部の外周面上に形成させる突起条部を最小の３つとすれば、比較的容易に加工することができて好ましく、更にこのような態様において、各突起条部を、隣接する突起条部間のなす角度が１２０°となるように等間隔に形成させれば、隣接する突起条部間に歯科接着剤を均等に塗布することができ、切削ブロックに確実に歯科用アバットメントを固定することができて好ましく、また各突起条部を、隣接する突起条部間のなす角度が１５０°，１５０°，６０°となるように形成させれば、各突起条部が埋入孔の凹状溝と当接する位置は一通りしかないため、歯科用アバットメントの取付位置を誤ることもなく、またこのような角度であれば隣接する突起条部間において間隔が狭くなり過ぎる箇所もないので、接着強度を損なうこともなくて好ましいのである。
【発明の効果】
【００１４】
本発明に係る歯科インプラント用構造体は、インプラントフィクスチャーの口腔内側端面に当接される顎骨側当接面から口腔内側に先太り状の截頭円錐状に形成された歯肉当接部と、歯肉当接部の顎骨側当接面から顎骨側に向けて突設されておりインプラントフィクスチャーの口腔内側の端部に回転しないように嵌入される嵌合部と、歯肉当接部の口腔内側面より嵌合部と反対側に向けて突設されていて、歯科補綴物用のセラミックス製の切削ブロックに予め形成されているか又はセラミックス製の切削ブロックを歯科補綴物へと切削加工する際に成形される埋入孔に埋入される埋入部とから形成されているから、埋入部が埋入孔に埋入される際に、先太りした歯肉当接部の口腔内側面がストッパーの役割をなすので埋入部が埋入孔に深く入りすぎることなく、正確な深さまで埋入させることができ、
またインプラントフィクスチャー内に螺設されているめねじに螺入されるボルトが挿入貫通される貫通穴が、嵌合部と歯肉当接部と埋入部とを貫通するように形成されていると共に、貫通穴の内部にボルトの頭が当接する段部が形成されており、貫通穴の中心軸が歯肉当接部、嵌合部及び埋入部の中心軸と同芯となるように設けられているから、貫通穴に挿入されたボルトが偏って位置するようなことがないので、このボルトにより歯科用アバットメントと一体となった歯科補綴物をインプラントフィクスチャーに強固且つ正確に取り付けることができると共にセラミックス製であるがために強度に問題がある切削ブロックにボルトの頭が当接することをなくすことができ、
更に埋入部の外周面上には、セラミックス製の切削ブロックの埋入孔内に埋入された際に埋入孔に形成されている凹状溝の底部に頂部がそれぞれ当接して埋入孔の内面と埋入部の外周面との間に略全周に亘って均一な歯科接着剤用の間隙を形成させるための、歯肉当接部側の端部からそれぞれ始まり、その長手方向が埋入部の中心軸と平行な同形の突起条部が３つ以上形成されているから、１つ又は２つの突起条部では、埋入部が埋入孔内を自由に動き、均一な幅の歯科接着剤用の間隙を形成させることができないが、埋入部の外周面上に３つ以上の突起条部を設けることで、歯科用アバットメントの埋入部を埋入孔内で位置固定することができ、突起条部の無い埋入部の外周面と、その突起条部の無い埋入部の外周面と対向する切削ブロック(歯科補綴物)の埋入孔の内面との間に、均一な幅の歯科接着剤用の間隙を確実に形成させることができ、またその歯科用アバットメントの３つ以上の突起条部の頂部が、埋入孔に形成されている凹状溝の底部にそれぞれ当接することによって、各突起条部が凹状溝に沿って導かれるので、歯科用アバットメントを所定の位置に確実に挿入できるのである。
【００１５】
また歯科接着剤用の間隙の幅が５〜１００μｍである態様では、歯科接着剤を十分に薄く形成させることができるので高い接着強度を得ることができて好ましく、突起条部が、その長さが０．０５〜３ｍｍ、幅が０．０５〜０．２ｍｍ、埋入部の外周面からの最大高さが０．０１〜０．２ｍｍである態様では、歯科用アバットメントの埋入部を埋入孔内に挿入した際に、埋入孔の内面と埋入部の外周面との間に略全周に亘って均一な歯科接着剤用の間隙を確実に形成させることができ、十分な接着強度を発揮させることができて好ましいのである。
【００１６】
また突起条部が、埋入部の外周面上に３つ形成されている態様であれば、歯科用アバットメントは比較的小さいものであるが、容易に加工することができて好ましく、更にこのような突起条部が３つ形成されている態様において、各突起条部が、隣接する突起条部間のなす角度が１２０°となるように等間隔に形成されている場合には、隣接する突起条部間に歯科接着剤を均等に塗布することができ、切削ブロックに確実に歯科用アバットメントを固定することができて好ましく、また各突起条部が、隣接する突起条部間のなす角度が１５０°，１５０°，６０°となるように形成されている場合には、各突起条部が埋入孔の凹状溝と当接する位置は一通りしかないため、歯科用アバットメントの取付位置を誤ることもなく、またこのような角度であれば隣接する突起条部間において間隔が狭くなり過ぎる箇所もないので、接着強度を損なうこともなくて好ましいのである。
【図面の簡単な説明】
【００１７】
【図１】本発明に係る歯科用アバットメントの一実施例を示す斜視図である。
【図２】図１に係る歯科用アバットメントの正面図である。
【図３】図１に係る歯科用アバットメントの右側面図である。
【図４】図１に係る歯科用アバットメントのＡ−Ａ線断面図である。
【図５】埋入孔が予め形成されている切削ブロックの斜視図である。
【図６】図５の切削ブロックの埋入穴の説明用拡大図である。
【図７】ボルト挿入貫通穴が予め切削加工されている切削ブロックの埋入穴に図１に係る歯科用アバットメントの埋入部を埋入して接着固定した様子を示す説明用正面図である。
【図８】図７のＣ−Ｃ線における切削ブロックの埋入穴と歯科用アバットメントの埋入部との位置関係を示す説明用拡大断面図である。
【発明を実施するための形態】
【００１８】
以下、図面を用いて本発明に係る歯科用アバットメントについて詳細に説明する。
【００１９】
１はインプラントフィクスチャーの口腔内側端面に当接される顎骨側当接面1aから口腔内側に先太り状の截頭円錐状に形成された歯肉当接部である。後述する埋入部３が、切削ブロックＢから作製された歯科補綴物の埋入孔Baに埋入される際に、先太りした歯肉当接部１の口腔内側面がストッパーの役割をなし、埋入部３が埋入孔Baに深く入りすぎることなく、正確な深さまで埋入させることができるのである。
【００２０】
２は歯肉当接部１の顎骨側当接面1aから顎骨側に向けて突設されておりインプラントフィクスチャーの口腔内側の端部に回転しないように嵌合される嵌合部であり、３は歯肉当接部１の口腔内側面より嵌合部２と反対側に向けて突設されていて、歯科補綴物用のセラミックス製の切削ブロックＢに予め形成されているか又はセラミックス製の切削ブロックＢを歯科補綴物へと切削加工する際に成形される埋入孔Baに埋入される埋入部である。そして歯肉当接部１と嵌合部２と埋入部３とは、それぞれその中心軸が同芯となるように形成されている。
【００２１】
４はインプラントフィクスチャー内に螺設されているめねじに螺入されるボルトが挿入貫通される貫通穴であり、この貫通穴４は嵌合部２と歯肉当接部１と埋入部３とを貫通するように形成されていると共に、貫通穴４の内部にボルトの頭が当接する段部4aが形成されており、貫通穴４の中心軸が歯肉当接部１、嵌合部２及び埋入部３の中心軸と同芯となるように設けられており、貫通穴４に挿入されたボルトが偏って位置するようなことがないので、このボルトにより歯科用アバットメントと一体となった歯科補綴物をインプラントフィクスチャーに強固且つ正確に取り付けることができると共にセラミックス製であるがために強度に問題がある切削ブロックにボルトの頭が当接することをなくすことができるのである。
【００２２】
５は埋入部３の外周面上には、セラミックス製の切削ブロックＢの埋入孔Ba内に埋入された際に埋入孔Baに形成されている凹状溝の底部Bbに頂部5aがそれぞれ当接して埋入孔Baの内面Bcと埋入部３の外周面3aとの間に略全周に亘って均一な歯科接着剤Ａ用の間隙を形成させるための、歯肉当接部１側の端部からそれぞれ始まり、その長手方向が埋入部３の中心軸と平行な同形の突起条部である。
本発明に係る歯科用アバットメントは、この突起条部５が埋入部３の外周面3a上に３つ以上形成されているから、１つ又は２つの突起条部５では、埋入部３が埋入孔Ba内を自由に動き、均一な幅の歯科接着剤Ａ用の間隙を形成させることができないが、埋入部３の外周面3a上に３つ以上の突起条部５を設けることで、歯科用アバットメントの埋入部３を埋入孔Ba内で位置固定することができ、突起条部５の無い埋入部３の外周面3aと、その突起条部５の無い埋入部３の外周面3aと対向する切削ブロックＢの埋入孔Baの内面Bcとの間に、均一な幅の歯科接着剤Ａ用の間隙を確実に形成させることができ、またその歯科用アバットメントの３つ以上の突起条部５の頂部5aが、埋入孔Baに形成されている凹状溝の底部Bbにそれぞれ当接することによって、各突起条部５が凹状溝に沿って導かれるので、歯科用アバットメントを所定の位置に確実に挿入できるのである。
【００２３】
このような突起条部５の形状としては、例えば図３の如く曲線的に隆起した形状のものとすることができる。そして図６のように切削ブロックＢの埋入孔Baの内面Bcにも、同様な形状の凹状溝を形成させれば、突起条部５の頂点5aと、切削ブロックＢの埋入孔Baに形成されている凹状溝の底部Bbとを当接させた際に、図８に示すように、突起条部５の無い埋入部３の外周面3aと、その突起条部５の無い埋入部３の外周面3aと対向する切削ブロックＢの埋入孔Baの内面Bcとの間に、均一な幅の歯科接着剤Ａ用の間隙を確実に形成させることができ、塗布された歯科接着剤Ａを略全周に亘って均一に行き渡らせることができるのである。
【００２４】
このような歯科接着剤Ａ用の間隙の幅としては５〜１００μｍであれば、歯科接着剤Ａを十分に薄く形成させることができ高い接着強度を得ることができて好ましいのである。なお歯科接着剤Ａ用の間隙の幅を５〜１００μｍとしたのは、歯科接着剤Ａ用の間隙の幅が１００μｍを超える場合には、歯科接着剤Ａが厚い層となり十分な接着強度を発揮させることができず、また５μｍ未満では、間隙が狭すぎるため、加工精度が低いと、場所によっては間隙ができず歯科接着剤Ａの存在しない箇所が生じて、接着力が極端に低下する場合があるからである。
【００２５】
また突起条部５については、長さが０．０５〜３ｍｍ、幅が０．０５〜０．２ｍｍ、埋入部３の外周面3aからの最大高さが０．０１〜０．２ｍｍであれば、歯科用アバットメントの埋入部３を埋入孔Ba内に挿入した際に、埋入孔Baの内面Bcと埋入部３の外周面3aとの間に略全周に亘って均一な幅の歯科接着剤Ａ用の間隙を確実に形成させることができ、十分な接着強度を発揮させることができて好ましいのである。
【００２６】
なお、突起条部５の長さが０．０５ｍｍ未満では短すぎて、歯科用アバットメントの埋入部３が埋入孔Baの内面Bcに点で接するような状態となり、てこの支点のような役割をして埋入部３がその支点を中心として埋入孔Ba内で動く場合があり、また３ｍｍを超える場合には、そのような長い突起条部５を挿入した際にも、埋入部３の外周面3aと埋入孔Baの内面Bcとの間に、均一な幅の歯科接着剤Ａ用の間隙を形成させるには、必要以上に高い精度で切削加工しなければならず、また幅が０．０５ｍｍ未満では突起条部５が薄板状となって強度が低くなり破損し易く、幅が０．２ｍｍを超える場合には埋入部３の外周面3aにおける突起条部５の占める割合が大きくなり過ぎて歯科接着剤Ａを略全周に亘って行き渡らせることができないので、十分な接着強度を得ることができず、更に埋入部３の外周面3aからの最大高さが０．０１ｍｍ未満の場合には、突起条部５の高さが十分ではないために、突起条部５の頂点5aを埋入孔Baに形成されている凹状溝の底部Bbにそれぞれ当接させても簡単に外れ、埋入部３の位置を固定することが難しい場合があり、また０．２ｍｍを超える場合には、突起条部５の高さが必要以上に高すぎるため、これに対応させるように、強度のあまり高くないセラミックス製の切削ブロックＢに対して、凹状溝の底部Bbを深く切削加工しなければならないため破損等が生じ易いからである。
【００２７】
また突起条部５が、埋入部３の外周面3a上に３つ形成されていれば、歯科用アバットメントは比較的小さいものであるが、容易に加工することができて好ましく、更にこのような突起条部５が３つ形成されている態様において、図示していないが、各突起条部５が、隣接する突起条部５，５間のなす角度が１２０°となるように等間隔に形成されている場合には、隣接する突起条部５，５間に歯科接着剤Ａを均等に塗布することができ、切削ブロックＢに確実に歯科用アバットメントを固定することができて好ましく、また図１〜４の如く、各突起条部５が、隣接する突起条部５，５間のなす角度が１５０°，１５０°，６０°となるように形成されている場合には、各突起条部５が埋入孔Baの凹状溝に当接する位置は一通りしかないため、歯科用アバットメントの取付位置を誤ることもなく、またこのような角度であれば隣接する突起条部間において間隔が狭くなり過ぎる箇所もないので、接着強度を損なうこともなくて好ましいのである。
【００２８】
このような本発明に係る歯科用アバットメントを用いた歯科補綴物を実際に作製するには、例えば、先ず図１〜４の如き本発明に係る歯科用アバットメントを、筒状材や棒状材等を切削加工することにより作製し準備する。この歯科用アバットメントの材質は口腔内で使用可能な強度と安全性を有している材料であれば使用可能であり、例えばチタン，チタン合金等の金属が使用できる。
【００２９】
次に、歯科補綴物の三次元形状データを作成するために、例えば、患者の口腔内のインプラントフィクスチャーが埋入された箇所を含む印象を採取し、その印象から石膏模型を作製し、石膏模型を三次元計測装置で計測して石膏模型の三次元形状データに対してコンピュータ等を用いて歯科補綴物の三次元形状データを作成したり、あるいは歯科用ワックスを石膏模型上に築盛して目的とする歯科補綴物の形状を作製した後、三次元計測装置を用いてこれを計測して歯科補綴物の三次元形状データを作成する。
【００３０】
そして、この歯科補綴物の三次元形状データ上で、予め作成して入力しておいた、インプラントフィクスチャーの口腔内側の端部に回転しないように嵌合される嵌合部２のデータを使用する。また本発明に係る歯科用アバットメントの三次元形状データも予め作成して入力しておくことで、歯科補綴物の三次元形状データ上で作成した歯科用アバットメントの嵌合部２の位置から、切削ブロックＢ内における歯科用アバットメントの埋入部３の埋入位置が決まり、この位置から切削ブロックＢに形成する埋入孔Baの位置の三次元形状データが得られる。なお、ジルコニア等のセラミックス製の切削ブロックＢからは、一般にはコーピング（歯科補綴物用の部材）等が作製されるので、実際にはこの歯科補綴物の三次元形状データから更にコーピング等の三次元形状データを作成する。
【００３１】
そして、加工機に直方体状のセラミックス製の切削ブロックＢを装着して、例えばコーピングの三次元形状データと、埋入孔Baの三次元形状データとに基づいて、切削ブロックを切削加工すればコーピング部分と埋入孔Baとを一度に切削加工することができるのである。なお図示していないが、切削ブロックＢには加工機に装着されるとその装着方向を正確な方向に規制すると共に回転しないように規制するための軸等の保持部が設けられているので、切削ブロックＢを切削加工する際の位置合わせを容易にすることができる。
【００３２】
また使用する切削ブロックＢについては、図５のように予め埋入孔Baが形成されている切削ブロックＢを使用することもできる。例えば、金型等から切削ブロックＢそのものを製造する際に、埋入孔Baは各患者に依存しない規格形状であるから、埋入孔Baも金型等により同時に形成されるようにすればよく、同一形状の埋入孔Baを、何度も切削加工する必要がなく、非常に効率が良いのである。なお、使用するセラミックス製の切削ブロックＢは焼結体であるから、予め形成された埋入孔Baは焼結後において多少の寸法誤差が生じる場合があるが、この埋入孔Baは、歯科用アバットメントの埋入部３と嵌合させるための部位ではなく、埋入部３を挿入して両者間に間隙を生じさせるものであるから、嵌合させる場合に比べて、多少の寸法誤差であれば問題とならない。
【００３３】
そしてこのような予め埋入孔Baが形成されている切削ブロックＢを切削加工する場合も、コーピング等の三次元形状データと、埋入孔Baの三次元形状データとを使用することによって、埋入孔Baとの位置関係を正確に反映させた状態で加工機によりコーピング等を切削加工することができるのである。
【００３４】
そして、このようにして作製したコーピング等を使用して実際に治療するには、先ず本発明に係る歯科用アバットメントだけを先にインプラントフィクスチャーに固定する。即ち、顎骨内に埋入されたインプラントフィクスチャーの口腔内側の端部に、回転しないように本発明に係る歯科用アバットメントの嵌合部２を嵌合させると共に、その貫通穴４にボルトを挿入貫通させて、インプラントフィクスチャー内に螺設されているめねじに螺入して固定するのである。
【００３５】
次に、インプラントフィクスチャーに嵌合固定した歯科用アバットメントの埋入部３の外周面3aや、予め切削ブロックＢから作製しておいたコーピング等の埋入孔baの内面bcに、歯科接着剤Ａを塗布して、歯科用アバットメントの埋入部３をコーピング等の埋入孔baに挿入して接着固定するのである。その際に、歯科用アバットメントの３つ以上の突起条部５の頂部5aを、コーピング等の埋入孔Baに形成されている凹状溝の底部Bbにそれぞれ当接させることによって、各突起条部５が凹状溝に沿って導かれるので、歯科用アバットメントを所定の位置に確実に挿入できるのである。
【００３６】
また別の治療方法としては、切削ブロックＢから作製するコーピング等に、予めその埋入孔Baに同芯状に連続するボルト挿入貫通穴を切削加工しておき、先にこの歯科補綴物部材等と、本発明に係る歯科用アバットメントとを歯科接着剤Ａによって接着固定した後に、コーピング等に形成したボルト挿入貫通穴を貫通させて貫通穴４の内部の段部4aにボルトの頭が当接するまでボルトを挿入して、インプラントフィクスチャー内に螺設されているめねじにボルトを螺入して固定し、そして、コーピング等のボルト挿入貫通穴を歯科用セメント等で埋めれば、インプラントフィクスチャーへの取付けが完了するのである。
【符号の説明】
【００３７】
１  歯肉当接部
1a  顎骨側当接面
２  嵌合部
３  埋入部
3a  外周面
４  貫通穴
4a  段部
５  突起条部
5a  頂部
Ａ  歯科接着剤
Ｂ  切削ブロック
Ba  埋入孔
Bb  底部
Bc  内面
【図１】
0005848891.tif 000002
【図２】
0005848891.tif 000003
【図３】
0005848891.tif 000004
【図４】
0005848891.tif 000005
【図５】
0005848891.tif 000006
【図６】
0005848891.tif 000007
【図７】
0005848891.tif 000008
【図８】
0005848891.tif 000009